(57)【要約】【課題】  漢字を検索しようとする者が、自分の理解できる言語をベースに簡便に漢字を検索することができる漢字検索方法，システム，サーバを提供する。【解決手段】  検索画面には、ローマ字入力欄，スペイン語入力欄などが設けられている。利用者が、スペイン語のスペルしか分からないときは、そのスペルをスペイン語入力欄に「ｆｌｏｒ」のように入力する。検索ボタンをクリックすると、該当する語彙ないし用例の検索結果が表示される。検索結果にはスペイン語表示が含まれており、これを参照して必要とする漢字を利用者が選択すると、漢字説明画面１３０が表示される。この画面には、スペイン語の「ｆｌｏｒ」に対応する「花」の漢字１３１，カタカナ及びローマ字による音読み表示１３２，ひらがな及びローマ字による訓読み表示１３３，漢字，ひらがな，ローマ字及びスペイン語による語彙表示１３４が含まれている。【選択図】図５
2006338124.tif 000002
【特許請求の範囲】
【請求項１】
漢字を不得手とする利用者が、漢字データベースから所望の漢字を検索する漢字検索方法であって、
前記漢字データベースが、
漢字を含む語彙を、前記利用者が得意とする言語又は表記で集積した漢字リスト，
各漢字毎に用意された多数の漢字説明画面，
を備えており、
検索対象の漢字を、前記利用者が得意とする言語又は表記により入力するステップ１，
このステップ１による入力データに対応する語彙を、前記漢字データベースにおいて検索するステップ２，
このステップ２によって検索された語彙を、前記利用者が得意とする言語又は表記で表示するステップ３，
このステップ３による表示に基づいて、利用者がいずれかの語彙を選択したときに、対応する漢字の説明画面を前記漢字データベースにおいて検索するステップ４，
このステップ４において検索された漢字説明画面を利用者に対して表示するステップ５，
を含むことを特徴とする漢字検索方法。
【請求項２】
漢字を不得手とする利用者が所望の漢字を検索する漢字検索システムであって、
漢字を含む語彙を、前記利用者が得意とする言語又は表記で集積した漢字リスト、及び、各漢字毎に用意された多数の漢字説明画面を備えた漢字データベース，
利用者がデータを入力するためのデータ入力手段，
前記利用者に入力画面及び検索結果画面を表示する表示手段，
前記漢字データベースにおいて該当するものを検索する検索手段，
前記利用者と前記漢字データベースとの間のデータの送受信を行なう送受信手段，
を備えており、
検索対象の漢字を、前記利用者が得意とする言語又は表記により、前記入力手段によって入力したときに、該入力データに対応する語彙を前記検索手段が前記漢字データベースから検索するとともに、検索した語彙を、利用者が得意とする言語で前記表示手段に表示し、
この表示から利用者がいずれかの語彙を選択したときに、対応する漢字の説明画面を前記検索手段が前記漢字データベースから検索して前記表示手段で表示する、
ことを特徴とする漢字検索システム。
【請求項３】
請求項２記載の漢字検索システムをネットワーク上で構築するためのサーバであって、
前記漢字データベース及び前記検索手段を備えたことを特徴とするサーバ。
【発明の詳細な説明】
【技術分野】
【０００１】
本発明は、漢字検索方法，そのシステム，そのサーバに関し、例えば、日本語を母国語としない外国人が漢字を検索したり、学習するような場合に好適な漢字検索方法，そのシステム，そのサーバに関する。
【背景技術】
【０００２】
外国人が日本語の漢字を学習ないし検索する従来技術としては、下記特許文献に記載されたものがある。これらのうち、特許文献１には、漢字の発音ないし読み方を語彙に応じて表示出力するようにした学習支援装置が開示されている。特許文献２には、漢字を、意味のない記号と、部首と、これらに含まれない意味のある漢字からなる最小単位とに分解し、これら分解された視覚要素にコードを付すとともに、漢字に予め付されているコードと一対にして記憶し、漢字を検索する際に、前記視覚要素からも検索できるようにした漢字辞書検索方式が開示されている。また、特許文献３には、日本語辞書を検索する際に、検索された漢字を含む用語の読みに対して、用語に含まれた各々の漢字の音読みと訓読みを付与し、各々の読みの組み合わせにより、特殊な読みを判定するようにした日本語文読解支援方法が開示されている。
【特許文献１】特開平０５−６７０７０公報
【特許文献２】特開平０７−２１９９４１公報
【特許文献３】特開平０９−２９７７５７公報
【発明の開示】
【発明が解決しようとする課題】
【０００３】
しかしながら、前記特許文献１及び３記載の発明は、いずれも漢字の読み方に関係するもので、外国人といっても、ある程度漢字を知っているが、その読み方が分からないような場合に利用できる手法であり、母国語をベースに漢字を学習しようとする初学者には不向きである。また、特許文献２記載の発明も、視覚要素から漢字を検索できるものの、同様に母国語から漢字を学習しようとする場合には、必ずしも好適とは言えない。
【０００４】
本発明は、以上の点に着目したもので、漢字を検索しようとする者が、自分の理解できる言語をベースに簡便に検索することができる漢字検索方法，そのシステム，そのサーバを提供することを、その目的とするものである。
【課題を解決するための手段】
【０００５】
前記目的を達成するため、本発明は、漢字データベースに、漢字を含む語彙を、前記利用者が得意とする言語又は表記で集積した漢字リスト，各漢字毎に用意された多数の漢字説明画面，を用意し、検索対象の漢字を、前記利用者が得意とする言語又は表記により入力したときに、対応する語彙を、前記漢字データベースで検索して前記利用者が得意とする言語又は表記で表示し、この表示に基づいて、利用者がいずれかの語彙を選択したときに、対応する漢字の説明画面を前記漢字データベースで検索して利用者に表示することを特徴とする。本発明の前記及び他の目的，特徴，利点は、以下の詳細な説明及び添付図面から明瞭になろう。
【発明の効果】
【０００６】
本発明によれば、利用者が得意とする言語，例えばスペイン語を利用して漢字を簡便に検索することができ、日本語や中国語の漢字の学習などに役立てることができる。
【発明を実施するための最良の形態】
【０００７】
以下、本発明を実施するための最良の形態を、実施例に基づいて詳細に説明する。なお、以下の実施例は、スペイン語を母国語とする外国人が漢字を検索ないし学習するような場合を一例として説明する。
【実施例１】
【０００８】
最初に、漢字検索方法に関する実施例１を説明する。本実施例による検索は、例えばインターネットに接続されたＰＣ（パーソナルコンピュータ，パソコン）などのクライアントの画面上で実行される。クライアントのディスプレイには、例えば、図１のようなメニュー画面１００が表示される。同図に示すように、主要なメニュー項目とその説明がスペイン語で表示されている。従って、日本語初心者であっても、それらのスペイン語の表示を参照することで、十分に利用することができる（以下の画面についても同様）。ここで、漢字を検索したい利用者が検索ボタン１０２をマウスカーソルでクリックすると、図２に示す検索画面１１０が表示される。
【０００９】
検索画面１１０には、ローマ字入力欄１１２，スペイン語入力欄１１４，読み入力欄１１６，画数入力欄１１８が設けられている。利用者は、検索したい漢字を含む語彙ないし用例を、ローマ字入力欄１１２，スペイン語入力欄１１４，もしくは読み入力欄１１６に入力する。例えば、検索したい漢字が「花」で、花を売っているお店が「ｈａｎａｙａ」であることを利用者が知っているときは、ローマ字入力欄１１２に「ｈａｎａｙａ」と入力する。スペイン語が分かっているときは、スペイン語入力欄１１４に「ｆｌｏｒｅｒｉａ」と入力する。このように、利用者は、漢字に関係する語彙を入力すればよい。また、漢字の音読みもしくは訓読みのいずれかが分かっているときは、その読みをローマ字で読み入力欄１１６に入力する。例えば、「ｋａ」もしくは「ｈａｎａ」と入力する。更に、漢字の画数が分かっているときは、画数入力欄１１８に画数を数字で入力する。
【００１０】
従って、利用者に日本語に関する知識があれば、それを利用して語彙を検索することができる。しかし、日本語に関してまったく知識がなくても、関係する語彙のスペイン語のスペルが分かれば、それを利用して漢字の検索を行うことができる。図示の例では、スペイン語で「ｆｌｏｒ」と入力されている。
【００１１】
利用者が検索ボタン１２０をクリックすると、インターネットに接続されたサーバに備えられている漢字データベースで、前記入力データに該当する語彙が検索される。検索画面は図３に示すようになり、検索結果が表示欄１２４に表示される。すなわち、該当する語彙について、「漢字番号//日本のローマ字表示//スペイン語表示//音訓読みのローマ字表示//画数」がそれぞれ表示される。図示の例では、前記漢字データベースから、スペイン語の「ｆｌｏｒ」を含むものが検索され、それらの漢字番号等が表示欄１２４に表示される。
【００１２】
図３に示すように、検索結果にスペイン語表示が含まれており、利用者は、これを参照して必要とする漢字を表示させることができる。例えば、図４に示すように、２段目の「k9//hana//flor//7」をマウスカーソルで選択し、クリックボタン１２６をクリックすると、図５に示すように、漢字説明画面１３０が表示される。すなわち、前記クリックした欄の漢字番号「Ｋ９」に対応する漢字である「花」の画面１３０が表示される。この画面１３０では、漢字１３１が、書き順に従って着色されて動的に表示されるとともに、カタカナ及びローマ字による音読み表示１３２，ひらがな及びローマ字による訓読み表示１３３，漢字，ひらがな，ローマ字及びスペイン語による語彙表示１３４が行われる。
【００１３】
このように、本実施例によれば、漢字をまったく知らなくても、母国語から対応する漢字を検索して表示することができ、外国人の漢字検索や漢字学習に極めて効果的である。
【実施例２】
【００１４】
次に、上述した漢字検索・表示方法をネットワークを通じて行なうためのシステムの実施例について説明する。図６には、本実施例の全体構成が示されており、インターネット２００には複数のクライアントＰＣ２１０及び漢字検索サーバ２５０が接続されている。ＰＣの代わりに、携帯電話やＰＤＦなどでもよい。クライアントＰＣ２１０には、クライアント処理装置２１２，入力装置２１４，表示装置２１６，プログラムメモリ２２０，データメモリ２３０が含まれている。これらのうち、クライアント処理装置２１２は、ＣＰＵ，ＲＡＭ，ＲＯＭなどによって構成されており、クライアント側におけるデータの入出力や画面表示などの各種の処理が実行される。入力装置２１４は、マウスやキーボードなどによって構成されており、利用者がデータの入力やボタンのクリックを行なう。表示装置２１６は、検索画面や検索結果を表示する。プログラムメモリ２２０は、クライアントＰＣ２１０で実行されるプログラムを格納するメモリで、インターネット２００を通じて漢字検索サーバ２５０との間でデータの授受を行なうデータ送受信プログラム２２２，クライアント処理装置２１２における表示処理を行なう表示処理プログラム２２４が格納されている。データメモリ２３０には、表示データ２３２や入力データ２３４などが保存されている。
【００１５】
一方、漢字検索サーバ２５０は、コンピュータシステムによって構成されており、サーバ処理装置２５２，プログラムメモリ２６０，データメモリ２７０が含まれている。これらのうち、サーバ処理装置２５２は、ＣＰＵ，ＲＡＭ、ＲＯＭなどによって構成されており、サーバ側におけるデータの入手力や検索処理などの各種の処理が実行される。プログラムメモリ２６０は、漢字検索サーバ２５０で実行されるプログラムを格納するメモリで、インターネット２００を通じてクライアントＰＣ２１０との間でデータの授受を行なうデータ送受信プログラム２６２，サーバ処理装置２５２における検索処理を行なう検索処理プログラム２６４，クライアント側に表示する画面データをデータメモリ２７０から読み出す画面読出プログラム２６６が格納されている。データメモリ２７０は、各種のデータを保存するためのメモリで、漢字データベース２７２が保存されている。この漢字データベース２７２には、漢字リスト２７４と、各漢字毎に用意された多数の表示画面データ２７６が含まれている。更に、漢字検索サーバ２５０には、図示しないが、入力装置や表示装置も備えており、各種データの入力などに利用される。
【００１６】
図７には、上述した漢字データベース２７２の漢字リスト２７４の一例が示されている。例えば、漢字の「一」を含む代表的な言葉としては「一年，一月，四分の一，統一，一人，一つ」がある。そこで、漢字の「一」にコード「Ｋ１」を付すとともに、前記「一年，一月，四分の一，統一，一人，一つ」の日本語ローマ字表記，スペイン語表記，音訓読みローマ字表記，画数「１」をリスト化する（図７の漢字番号Ｋ１の欄を参照）。漢字の「右」を含む代表的な言葉としては「右手，左右，右折，右，右側，右翼」がある。そこで、漢字の「右」にコード「Ｋ２」を付すとともに、前記「右手，左右，右折，右，右側，右翼」の日本語ローマ字表記，スペイン語表記，音訓読みローマ字表記，画数「５」を、同様にリスト化する（図７の漢字番号Ｋ２の欄を参照）。同様に、漢字の「雨」を含む代表的な言葉としては「雨，雨量，大雨」がある。そこで、漢字の「雨」にコード「Ｋ３」を付すとともに、前記「雨，雨量，大雨」の日本語ローマ字表記，スペイン語表記，音訓読みローマ字表記，画数「８」を、同様にリスト化する（図７の漢字番号Ｋ３の欄を参照）。他の漢字についても同様である。
【００１７】
次に、図６に戻って、漢字データベース２７２の表示画面データ２７６としては、図１に示したメニュー画面１００，図２に示した検索画面１１０，図５に示した漢字説明画面１３０，後述する図１１に示す漢字リスト画面３００，図１２に示す漢字練習用ノート４００の画面，図１３に示す漢字練習画面５００などが用意されている。なお、図５の漢字説明画面１３０は、漢字毎にそれぞれ用意されている。そして、漢字説明画面１３０のデータには、画面そのもののデータの他に、各語彙の音声データや書き順のアニメーション表示データも含まれている。
【００１８】
次に、本実施例の全体動作を説明する。クライアントＰＣ２１０側で利用者が入力装置２１４を操作し、漢字検索画面の表示を指示すると、クライアント処理装置２１２によるデータ送受信プログラム２２２の実行により、その旨がインターネット２００を介して漢字検索サーバ２５０に送信され、サーバ処理装置２５２によるデータ送受信プログラム２６２の実行により要求が受信される。そして、サーバ処理装置２５２による画面読出プログラム２６６の実行により、漢字データベース２７２の表示画面データ２７６から図１に示すメニュー画面１００のデータが読み出される。この画面データは、インターネット２００を介してクライアントＰＣ２１０に送信され、表示処理プログラム２２４の実行により、表示装置２１６に図１に示すメニュー画面１００が表示される。
【００１９】
漢字検索を行なうときは、利用者は、検索ボタン１０２を入力装置２１４で操作する。例えば、マウスカーソルで検索ボタン１０２をクリックする。すると、その旨がデータ送受信プログラム２２２，２６２によってクライアントＰＣ２１０から送信され、漢字検索サーバ２５０で受信される。漢字検索サーバ２５０では、表示画面データ２７６から図２に示す検索画面１１０が画面読出プログラム２６６により読み出されて、クライアントＰＣ２１０に送信される。クライアントＰＣ２１０では、表示処理プログラム２２４によって図２に示す検索画面１１０が表示装置２１６に表示される。
【００２０】
上述したように、検索画面１１０には、ローマ字入力欄１１２，スペイン語入力欄１１４などが設けられているので、これらを適宜利用して検索を行なう。例えば、検索したいスペイン語のスペルが「ｆｌｏｒ」であるときは、図示のように、それをスペイン語入力欄１１４に入力する。そして、利用者が検索ボタン１２０をクリックすると、その旨がデータ送受信プログラム２２２によって送信され、漢字検索サーバ２５０で送受信プログラム２６２により受信される。漢字検索サーバ２５０では、サーバ処理装置２５２によって検索処理プログラム２６４が実行され、図７に示す漢字データベース２７２の漢字リスト２７４から、利用者の入力データであるスペイン語の「ｆｌｏｒ」を含むものが検索される。そして、該当する欄のデータがクライアントＰＣ２１０に送信される。
【００２１】
クライアントＰＣ２１０では、表示処理プログラム２２４によって、受信したデータが検索画面１１０の表示欄１２４に表示される。図３にその様子が示されており、漢字番号，ローマ字表記，スペイン語表記，画数が表示されている。このように、検索結果にスペイン語表示が含まれており、利用者は、これを参照して必要とする漢字を表示させることができる。
【００２２】
例えば、図４に示すように、２段目の語彙「k9//hana//flor//7」を入力装置２１４で利用者が選択したとすると、選択された漢字番号「k9」が漢字検索サーバ２５０に送信される。漢字検索サーバ２５０では、画面読出プログラム２６６がサーバ処理装置２５２で実行され、漢字データベース２７２の表示画面データ２７６から漢字番号「k9」に該当する漢字の説明画面データが読み出される。この説明画面データは、インターネット２００を介してクライアントＰＣ２１０に送信される。
【００２３】
クライアントＰＣ２１０では、表示処理プログラム２２４が実行され、受信した漢字説明画面データに基づいて、表示装置２１６に図５に示すような漢字説明画面１３０が表示される。すなわち、画面上段左側に、漢字「花」の画像１３１が、アニメーション表示，すなわち、書き順に従って着色表示される。その右隣には、音読み，訓読みの表示１３２，１３３がカナやローマ字で行なわれている。また、下欄には、語彙表示１３４が漢字，ひらがな，ローマ字及びスペイン語によって行なわれている。漢字番号１３５は、漢字１３１の左上に表示されており、画数１３６は漢字表示枠右下に表示されている。画数１３６の上には、漢字１３１のアニメーション表示が何画目に相当するかを示す数字１３７が表示されており、漢字番号１３５の上には、後述するレベル記号１３８が表示されている。また、画面右下には、表示されている漢字の前の漢字番号や次の漢字番号の漢字を表示させたいときに操作するためのボタン１３９が表示されている。図示の例では、漢字「花」の前のコード番号の漢字が「火」であり、後のコード番号の漢字が「貝」であるので、それらの漢字がボタン１３９に表示されている。画面左上には、前の説明画面に戻るためのボタン１４０が設けられている。
【００２４】
更に、図５の画面において、カーソルを、語彙表示１３４のひらがな部分に移動すると、図８に示すようにその旨の表示が行われるとともに、当該表示をクリックすると、当該ひらがなの音声が再生される。図８の例では、「はな」の部分が表示１４２となっており、「はな」の音声が再生出力されるようになる。これにより、利用者は、聞き取りや発音の練習を行うことができる。更に、カーソルを語彙表示１３４の漢字部分に移動すると、図９に示すようにその旨の表示１４４が行われる。ここで、表示が行われた漢字をクリックすると、当該漢字の画面を表示する旨の要求がインターネット２００を介して漢字検索サーバ２５０に行われ、漢字データベース２７２の表示画面データ２７６から該当する漢字の画面データが読み出されて、クライアント側に送信され、当該漢字の画面が表示される。例えば、利用者が「火」をクリックしたとすると、図１０に示す「火」の画面が表示される。そして、この画面上でボタン１４０をクリックすると、その旨が同様にサーバ側に伝えられ、該当する画面がクライアント側に送信されて、前の画面，すなわち図９の画面が表示される。すなわち、利用者は、前の画面に戻ることができる。
【００２５】
以上のように、本実施例によれば、漢字説明用の画面が、漢字検索サーバ２５０の漢字データベース２７２に表示画面データ２７６として漢字毎に予め用意されており、これがサーバ側からクライアント側に送信されて表示される。利用者は、自分が得意とする言語から漢字を検索することができる。また、検索結果の画面を参照することで、検索した漢字について、書き順，読み方，語彙，発音を知ることができる。例えば、図５の例では、まず、スペイン語の「ｆｌｏｒ」に相当する漢字が「花」であることを、利用者は知ることができる。また、その漢字「花」の音読み，訓読みを表示１３２，１３３から知ることができ、具体的な語彙も、語彙表示１３４から知ることができる。更に、発音も聞くことができ、関連する語彙中の漢字について調べることもできる。
【実施例３】
【００２６】
次に、本発明の実施例３について説明する。本実施例は、図１に示したメニュー画面１００中の他のメニューボタンが操作されたときの動作に関する。メニューボタン１０４Ａ〜１０４Ｃは、漢字のリストを表示するためのボタンで、３段階にレベル分けされている。このレベルは、上述したレベル記号１３８として画面上に表示されているものである。レベル分けは、例えばわが国における義務教育に対応させ、レベル１は小学校１年生，レベル２は２年生，レベル３は３年生でそれぞれ学習する範囲となっている。
【００２７】
利用者が、例えばボタン１０４Ａを入力装置２１４で操作したとすると、図１１に示す漢字リスト画面３００が表示装置２１６に表示される。すなわち、検索処理プログラム２６４によって漢字データベース２７２の表示画面データ２７６から、レベル１に相当する漢字リスト３０２を示す漢字リスト画面３００が読み出され、図１１のように表示される。更に、前記漢字リスト３０２のいずれかの漢字をクリックすると、当該漢字のスペイン語表記，漢字番号などが、画面内に表示される。図示の例では、漢字「一」の表示が行われている。図１のボタン１０４Ｂ，１０４Ｃについても同様であり、それぞれレベル２，レベル３の漢字リストが表示される。
【００２８】
次に、ボタン１０６をクリックしたとすると、図１２に示すような漢字練習用ノート４００の画面が表示画面データ２７６から読み出され、クライアント側で表示・プリントされる。漢字練習用ノート４００の左端には、漢字の手本４０２が表示されており、その右隣に練習用のマス４０４が複数配列されている。図示の例は、レベル１の漢字番号１番から１０番までの練習用ノートである。
【００２９】
次に、ボタン１０８をクリックすると、図１３に示すような漢字練習画面５００が表示画面データ２７６から読み出されて表示される。同図の例は、漢字「花」の表示画面１３０に、漢字練習画面５００を表示した例で、マウスカーソル５０２を使って漢字を書く練習を行なっている状態を示す。漢字１３１の表示枠内の罫線１３１Ａと、漢字練習画面５００の枠内の罫線５００Ａが一致しているので、これを利用して、漢字の線や点の大きさや位置関係を把握しながら、漢字を書く練習を行うことができる。
【００３０】
なお、本発明は、上述した実施例に限定されるものではなく、本発明の要旨を逸脱しない範囲内において種々変更を加え得ることができる。例えば、以下のものも含まれる。
【００３１】
(1)前記実施例に示したデータ，画面構成，プログラム構成は一例であり、公知の技術を利用することで、他の態様が考えられる。一つの好適な例は、漢字データベースとして「PostgreSQL」ないし「MySQL」を使用するとともに、クライアント側における表示処理を「Macromedia Flash Player」によって行う。「Macromedia Flash Player」を利用することで、漢字の書き順のアニメーション表示や発音出力などを簡便に実現することができる。更に、音声のみならず、写真やイラストなどの画像を表示するようにしてもよい。例えば、漢字「花」の検索結果を表示する際に、花の写真を表示するという具合である。
【００３２】
(2)前記実施例は、ネットワークを利用して漢字の検索・表示を行なうようにしたが、システム全体をＤＶＤなどに収容し、いわゆるパッケージとして提供して、ＰＣなどで利用できるようにしてもよいし、両者を併用するようにしてもよい。
【００３３】
(3)前記実施例は、スペイン語が理解できるものの、漢字については初学者である人を対象とした漢字検索の例であるが、英語，フランス語などの各種の言語を母国語とする人が漢字を検索するような場合にも同様に適用可能である。また、漢字としては、日本語の漢字のみならず、中国語の漢字も検索対象としてよい。更に、複数の外国語に対して適用できるような表記としてもよい。図４の例に沿って言えば、２段目の語彙表示「k9//hana//flor//7」を、「k9//hana/flower/fleur/Blume//flor//7」とすることで、スペイン語のみならず、英語，フランス語，ドイツ語を母国語とする外国人でも、漢字検索を行うことができるようになる。
【００３４】
(4)前記実施例では、漢字に番号（数字）を付すこととしたが、番号の代わりに、アルファベットや記号を用いてもよい。要するに、多数の漢字を区別するためのコードを各漢字に付けると考えればよい。
【産業上の利用可能性】
【００３５】
本発明によれば、対象となる漢字を直接検索することができるので、外国人が漢字を学習する際に好適である。
【図面の簡単な説明】
【００３６】
【図１】本発明の実施例１のメニュー画面を示す平面図である。
【図２】前記実施例１の漢字検索画面を示す平面図である。
【図３】前記実施例１の検索画面の検索後の様子を示す平面図である。
【図４】前記実施例１の検索画面において、表示を必要とする語彙の選択後の様子を示す平面図である。
【図５】検索結果の漢字の説明画面を示す平面図である。
【図６】本発明の実施例２のシステム構成を示すブロック図である。
【図７】前記実施例における漢字データベースの漢字リストの一例を示す図である。
【図８】前記図５の画面で発音出力を行う場合の画面の様子を示す平面図である。
【図９】前記図５の画面で関連する漢字表示を行う場合の画面の様子を示す平面図である。
【図１０】前記図５の画面で関連する漢字を選択したときの画面の様子を示す平面図である。
【図１１】本発明の実施例３における各レベル毎の漢字リストの一例を示す平面図である。
【図１２】本発明の実施例３における漢字練習用ノートの一例を示す平面図である。
【図１３】本発明の実施例３における漢字練習画面の一例を示す平面図である。
【符号の説明】
【００３７】
１００：メニュー画面
１０２：検索ボタン
１０４Ａ，１０４Ｂ，１０４Ｃ：ボタン
１０６：ボタン
１０８：ボタン
１１０：検索画面
１１２：ローマ字入力欄
１１４：スペイン語入力欄
１１６：読み入力欄
１１８：画数入力欄
１２０：検索ボタン
１２４：表示欄
１２６：クリックボタン
１３０：漢字説明画面
１３１：漢字ないしその画像
１３１Ａ：罫線
１３２，１３３：表示
１３４：語彙表示
１３５：漢字番号
１３６：画数
１３７：数字
１３８：レベル記号
１３９，１４０：ボタン
１４２，１４４：表示
２００：インターネット
２１０：クライアントＰＣ
２１２：クライアント処理装置
２１４：入力装置
２１６：表示装置
２２０：プログラムメモリ
２２２：データ送受信プログラム
２２４：表示処理プログラム
２３０：データメモリ
２３２：表示データ
２３４：入力データ
２５０：漢字検索サーバ
２５２：サーバ処理装置
２６０：プログラムメモリ
２６２：データ送受信プログラム
２６４：検索処理プログラム
２６６：画面読出プログラム
２７０：データメモリ
２７２：漢字データベース
２７４：漢字リスト
２７６：表示画面データ
３００：漢字リスト画面
３０２：漢字リスト
４００：漢字練習用ノート
４０２：手本
４０４：マス
５００：漢字練習画面
５００Ａ：罫線
５００：練習画面
５０２：マウスカーソル
【図１】
2006338124.tif 000003
【図２】
2006338124.tif 000004
【図３】
2006338124.tif 000005
【図４】
2006338124.tif 000006
【図５】
2006338124.tif 000007
【図６】
2006338124.tif 000008
【図７】
2006338124.tif 000009
【図８】
2006338124.tif 000010
【図９】
2006338124.tif 000011
【図１０】
2006338124.tif 000012
【図１１】
2006338124.tif 000013
【図１２】
2006338124.tif 000014
【図１３】
2006338124.tif 000015